(57)【要約】【課題】広告宣伝効果に優れた情報配信サーバ、並びにこのような情報配信サーバを利用した情報配信システムを提供する。【解決手段】情報配信サーバ２は、情報表示端末３が設置される地域に関連する地域広告情報を記録する地域広告情報データベース５と、地域広告情報データベース５に記録された地域広告情報が属するジャンルに関する情報を記録する地域ジャンル情報データベース６と、地域広告情報データベース５に記録された地域広告情報を情報表示端末３及び大型表示装置１３にインターネット１４を介して送信する地域広告情報送信手段７と、携帯電話機４と情報表示端末３との間隙が数センチメートル以下の場合、地域ジャンル情報データベース６に記録された地域ジャンル情報を、このジャンルに属する地域広告情報と共に情報表示端末３にインターネット１４を介して送信する地域ジャンル情報送信手段８とを有する。【選択図】図１
2009251878.tif 000002
【特許請求の範囲】
【請求項１】
情報表示端末が設置される地域に関連する地域広告情報を記録する地域広告情報記録手段と、
該地域広告情報記録手段に記録された地域広告情報が属するジャンルに関する情報を記録する地域ジャンル情報記録手段と、
前記地域広告情報記録手段に記録された地域広告情報を情報表示端末へ通信回線を介して送信する地域広告情報送信手段と、
利用者が携帯する携帯情報端末と前記情報表示端末との間隙が所定の距離以下の場合、前記地域ジャンル情報記録手段に記録された地域ジャンル情報を、同ジャンルに属する地域広告情報と共に前記情報表示端末へ通信回線を介して送信する地域ジャンル情報送信手段とを備え、
前記地域広告情報送信手段によって送信された地域広告情報を表示する地域広告情報表示手段と、前記地域ジャンル情報送信手段によって送信された地域ジャンル情報を同ジャンルに属する地域広告情報と共に前記情報表示端末との間隙が所定の距離以下の前記携帯情報端末へ転送する地域ジャンル情報転送手段とを有し、該地域ジャンル情報転送手段によって転送されると共に前記地域広告情報表示手段によって表示された地域広告情報と同じ地域広告情報を再生する地域広告情報再生手段を有する携帯情報端末と通信可能な情報表示端末と通信可能に構成された情報配信サーバ。
【請求項２】
前記地域広告情報及び地域ジャンル情報は、前記情報表示端末が設置される場所を中心として所定の範囲の領域についての情報である
請求項１に記載の情報配信サーバ。
【請求項３】
前記地域ジャンル情報送信手段によって送信された地域ジャンル情報は、送信された地域広告情報に関連するクーポン情報、送信された地域広告情報の広告主のＵＲＬ情報及びコンテンツ情報を含む
請求項１に記載の情報配信サーバ。
【請求項４】
情報表示端末が設置される地域に関連する地域広告情報を記録する地域広告情報記録手段と、
該地域広告情報記録手段に記録された地域広告情報が属するジャンルに関する情報を記録する地域ジャンル情報記録手段と、
前記地域広告情報記録手段に記録された地域広告情報を情報表示端末へ通信回線を介して送信する地域広告情報送信手段と、
利用者が携帯する携帯情報端末と前記情報表示端末との間隙が所定の距離以下の場合、前記地域ジャンル情報記録手段に記録された地域ジャンル情報を、同ジャンルに属する地域広告情報と共に前記情報表示端末へ通信回線を介して送信する地域ジャンル情報送信手段とを有する情報配信サーバと、
前記地域広告情報送信手段によって送信された地域広告情報を表示する地域広告情報表示手段と、
前記地域ジャンル情報送信手段によって送信された地域ジャンル情報を、同ジャンルに属する地域広告情報と共に前記情報表示端末との間隙が所定の距離以下の前記携帯情報端末へ転送する地域ジャンル情報転送手段とを有する情報表示端末と、
該地域ジャンル情報転送手段によって転送されると共に前記地域広告情報表示手段によって表示された地域広告情報と同じ地域広告情報を再生する地域広告情報再生手段を有する携帯情報端末とを備え、
前記情報配信サーバと、前記情報配信サーバと通信可能な前記情報表示端末と、前記情報表示端末と通信可能な前記携帯情報端末とによって情報を配信する情報配信システム。
【請求項５】
前記地域ジャンル情報転送手段は、転送される地域ジャンル情報のジャンル毎に分けられた複数の領域からなる
請求項４に記載の情報配信システム。
【発明の詳細な説明】
【技術分野】
【０００１】
本発明は情報配信サーバ並びに情報配信システムに関する。詳しくは、所定の範囲の地域に関する情報を配信する、情報配信サーバ並びに情報配信システムに係るものである。
【背景技術】
【０００２】
ニュースや天気予報等の生活に密着した情報は、インターネットを通じて入手できるが、このような生活密着情報は、それぞれの情報を専門的に扱うウェブサイトや、全ての情報を取り扱うポータルサイト等のウェブサイトが、利用者の要求に応じて配信している。
【０００３】
また、このようなウェブサイトには、様々な情報が掲載されると共に、広告情報も掲載されており、ウェブサイト運営者は、広告情報の掲載料を徴収している。
しかし、広告情報はあくまでも付属的な情報であり、ウェブサイトに掲載される主な情報と直接関連するとは限らず、無関係な広告情報も多く、ウェブサイトを閲覧する利用者にとっては、このような広告情報は画面を見づらくするだけの目障りな情報に過ぎない。
【０００４】
また、インターネットの利用者は、所望の情報を得るために検索エンジンを利用してキーワード検索を行い、必要に応じて情報を絞り込んで選別を行なうが、情報量があまりに多く、適切なキーワード選択や検索条件設定が要求され、ある程度の熟練を要する。従って、一般の利用者が所望の情報に辿り着くのは困難である。
【０００５】
そこで、利用者ごとに必要とする情報のみが表示されるシステムが提案されており、例えば特許文献１には、利用者に地域や情報種別を選択させて、選択した地域や情報種別に係る情報、並びにその情報に関連した広告等の地域生活情報を配信するシステムが開示されている。
【０００６】
【特許文献１】特開２００１−２８２８２２号公報
【発明の開示】
【発明が解決しようとする課題】
【０００７】
しかしながら、特許文献１のシステムでは、利用者による地域と情報種別の選択操作が必要であり、そもそも特定の地域、特定の情報種別しか必要としない利用者にとって、このような選択操作を毎回行なうことは極めて面倒である。
また、利用者は同じ端末の画面に表示された広告情報を見るだけなので単調さを感じ、広告情報に目が向く回数が時間の経過と共に減少するため、さらに広告宣伝効果を向上させることが求められていた。
【０００８】
本発明は、以上の点に鑑みて創案されたものであり、広告宣伝効果に優れた情報配信サーバ、並びにこのような情報配信サーバを利用した情報配信システムを提供することを目的とする。
【課題を解決するための手段】
【０００９】
上記の目的を達成するために、本発明の情報配信サーバは、情報表示端末が設置される地域に関連する地域広告情報を記録する地域広告情報記録手段と、該地域広告情報記録手段に記録された地域広告情報が属するジャンルに関する情報を記録する地域ジャンル情報記録手段と、前記地域広告情報記録手段に記録された地域広告情報を情報表示端末へ通信回線を介して送信する地域広告情報送信手段と、利用者が携帯する携帯情報端末と前記情報表示端末との間隙が所定の距離以下の場合、前記地域ジャンル情報記録手段に記録された地域ジャンル情報を、同ジャンルに属する地域広告情報と共に前記情報表示端末へ通信回線を介して送信する地域ジャンル情報送信手段とを備え、前記地域広告情報送信手段によって送信された地域広告情報を表示する地域広告情報表示手段と、前記地域ジャンル情報送信手段によって送信された地域ジャンル情報を同ジャンルに属する地域広告情報と共に前記情報表示端末との間隙が所定の距離以下の前記携帯情報端末へ転送する地域ジャンル情報転送手段とを有し、該地域ジャンル情報転送手段によって転送されると共に前記地域広告情報表示手段によって表示された地域広告情報と同じ地域広告情報を再生する地域広告情報再生手段を有する携帯情報端末と通信可能な情報表示端末と通信可能に構成されたものである。
【００１０】
ここで、利用者が携帯する携帯情報端末と情報表示端末との間隙が所定の距離以下の場合、地域ジャンル情報記録手段に記録された地域ジャンル情報を、ジャンルに属する地域広告情報と共に情報表示端末へ通信回線を介して送信する地域ジャンル情報送信手段によって、利用者は、各地域に設置された情報表示端末に携帯情報端末を近づけるだけで、地域広告情報と共に地域ジャンル情報を自分の携帯情報端末に取り込むことができる。
【００１１】
また、本発明の情報配信サーバにおいて、地域広告情報及び地域ジャンル情報は、情報表示端末が設置される場所を中心として所定の範囲の領域についての情報であることが好ましい。ここで、「所定の範囲」とは、例えば半径数メートルから数キロメートルの範囲をいう。
【００１２】
また、本発明の情報配信サーバにおいて、地域ジャンル情報送信手段によって送信された地域ジャンル情報は、送信された地域広告情報に関連するクーポン情報、送信された地域広告情報の広告主のＵＲＬ情報及びコンテンツ情報を含むことが好ましい。
【００１３】
また、上記の目的を達成するために、本発明の情報配信システムは、情報表示端末が設置される地域に関連する地域広告情報を記録する地域広告情報記録手段と、該地域広告情報記録手段に記録された地域広告情報が属するジャンルに関する情報を記録する地域ジャンル情報記録手段と、前記地域広告情報記録手段に記録された地域広告情報を情報表示端末へ通信回線を介して送信する地域広告情報送信手段と、利用者が携帯する携帯情報端末と前記情報表示端末との間隙が所定の距離以下の場合、前記地域ジャンル情報記録手段に記録された地域ジャンル情報を、同ジャンルに属する地域広告情報と共に前記情報表示端末へ通信回線を介して送信する地域ジャンル情報送信手段とを有する情報配信サーバと、前記地域広告情報送信手段によって送信された地域広告情報を表示する地域広告情報表示手段と、前記地域ジャンル情報送信手段によって送信された地域ジャンル情報を、同ジャンルに属する地域広告情報と共に前記情報表示端末との間隙が所定の距離以下の前記携帯情報端末へ転送する地域ジャンル情報転送手段とを有する情報表示端末と、該地域ジャンル情報転送手段によって転送されると共に前記地域広告情報表示手段によって表示された地域広告情報と同じ地域広告情報を再生する地域広告情報再生手段を有する携帯情報端末とを備え、前記情報配信サーバと、前記情報配信サーバと通信可能な前記情報表示端末と、前記情報表示端末と通信可能な前記携帯情報端末とによって情報を配信するものである。
【００１４】
ここで、利用者が携帯する携帯情報端末と情報表示端末との間隙が所定の距離以下の場合、地域ジャンル情報記録手段に記録された地域ジャンル情報を、ジャンルに属する地域広告情報と共に情報表示端末へ通信回線を介して送信する地域ジャンル情報送信手段によって、利用者は、各地域に設置された情報表示端末に携帯情報端末を近づけるだけで、地域広告情報と共に地域ジャンル情報を自分の携帯情報端末に取り込むことができる。
また、地域ジャンル情報転送手段によって転送されると共に地域広告情報表示手段によって表示された地域広告情報と同じ地域広告情報を再生する地域広告情報再生手段によって、利用者の携帯情報端末においても情報表示端末に表示された地域広告情報を見ることができる。
【００１５】
また、本発明の情報配信システムにおいて、地域ジャンル情報転送手段は、転送される地域ジャンル情報のジャンル毎に分けられた複数の領域からなることが好ましい。
【発明の効果】
【００１６】
本発明に係る情報配信サーバは、広告宣伝効果に優れている。
本発明に係る情報配信システムは、広告宣伝効果に優れている。
【発明を実施するための最良の形態】
【００１７】
以下、本発明の実施の形態について図面を参照しながら説明し、本発明の理解に供する。
図１は、本発明を適用した情報配信システムの構成の一例を示す概略図である。図１において、本発明の情報配信システム１は、本発明の情報配信サーバ２と、情報配信サーバ２と通信可能であると共に例えば繁華街に設置される複数の情報表示端末３と、情報表示端末３と通信可能であると共に利用者が携帯する携帯電話機（携帯情報端末の一例である。）４と、例えば郊外に設置される複数の大型表示装置１３とによって構成される。
【００１８】
また、情報配信サーバ２は、情報表示端末３が設置される地域に関連する地域広告情報を記録する地域広告情報データベース（地域広告情報記録手段の一例である。）５と、地域広告情報データベース５に記録された地域広告情報が属するジャンルに関する情報を記録する地域ジャンル情報データベース（地域ジャンル情報記録手段の一例である。）６と、地域広告情報データベース５に記録された地域広告情報を情報表示端末３及び大型表示装置１３にインターネット（通信回線の一例である。）１４を介して送信する地域広告情報送信手段７と、携帯電話機４と情報表示端末３との間隙が所定の距離例えば数センチメートル以下の場合、地域ジャンル情報データベース６に記録された地域ジャンル情報を、このジャンルに属する地域広告情報と共に情報表示端末３にインターネット１４を介して送信する地域ジャンル情報送信手段８とを有する。
また、送信された地域ジャンル情報は、送信された地域広告情報に関連するクーポン情報、送信された地域広告情報の広告主のＵＲＬ情報及びコンテンツ情報を含む。
【００１９】
ここで、地域広告情報及び地域ジャンル情報は、情報表示端末３が設置された場所を中心として所定の範囲例えば半径数キロメートル以内の領域についての情報であり、動画情報が含まれる。図１は、福岡市の長浜地域にあるラーメン店の動画広告を表示した例を示す。
また、地域ジャンル情報データベース６は、ジャンル別に分けられて情報が記録されているが、ジャンルの項目としては例えば、「医療」、「有機野菜または無農薬野菜」、「ボランティアまたは福祉」、「公共機関または役所情報」、「仕事またはリクルート情報」、「観光」、「グルメ」、「１００円ランチ」、「温泉」、「遊び」、「美容またはエステ」、「習い事またはスクール」、「ランキング」、「商業施設または店舗の催事またはセール情報」、「新聞またはニュース」、「ケータイ小説」、「映画館情報」、「音楽」、「フリーペーパーＷＥＢ版」、「風俗情報」、「不動産または賃貸情報」が挙げられる。
また、例えば「医療」項目に記録された地域ジャンル情報には、歯科または美容整形等の広告主となる病院のホームページＵＲＬ情報や、地域の全病院に関する情報が含まれる。また、例えば「有機野菜または無農薬野菜」項目に記録された地域ジャンル情報には、農業生産者が作るホームページＵＲＬ情報、規格外野菜の販売情報、漬物等の副産物情報が含まれる。また、例えば「ボランティアまたは福祉」項目に記録された地域ジャンル情報には、地域のボランティア活動やＮＰＯ団体情報、携帯電話による募金情報、地域の介護またはヘルパー情報、身障者施設等の情報が含まれる。また、例えば「公共機関または役所情報」項目に記録された地域ジャンル情報には、公共機関または役所のＷＥＢ版広報が含まれる。また、例えば「仕事またはリクルート情報」項目に記録された地域ジャンル情報には、地域の派遣や求人案内情報が含まれる。
【００２０】
また、情報表示端末３は、地域広告情報送信手段７によって送信された地域広告情報を表示すると共にＬＥＤまたは液晶またはプラズマで構成された地域広告情報表示手段９と、地域ジャンル情報送信手段によって送信された地域ジャンル情報を、このジャンルに属する地域広告情報と共に情報表示端末３との間隙が所定の距離例えば数センチメートル以下の携帯電話機４へ転送すると共に転送される地域ジャンル情報のジャンル毎に分けられた複数の領域からなる地域ジャンル情報転送手段１０と有し、地域広告情報が記載されたフリーペーパー１１が備え付けられる。
【００２１】
ここで、地域広告情報と地域ジャンル情報とを携帯電話機に転送させることができればどのような転送手段でもよいが、例えば赤外線通信、非接触ＩＣ通信、短距離無線通信、二次元コード読込みによる転送が挙げられる。
また、大型表示装置１３も、地域広告情報送信手段７によって送信された地域広告情報を表示すると共にＬＥＤまたは液晶またはプラズマで構成された地域広告情報表示手段９を備えており、情報表示端末３の地域広告情報表示手段９によって表示される地域広告情報と同じ地域広告情報を表示する。
また、フリーペーパー１１には、二次元コードが印刷されており、携帯電話機４によって二次元コードを読み取り、地域広告情報を携帯電話機４に表示させることができる。
【００２２】
また、携帯電話機４は、地域ジャンル情報転送手段１０によって転送されると共に地域広告情報表示手段９によって表示された地域広告情報と同じ地域広告情報を再生する地域広告情報再生手段１２を有する。
【００２３】
図２は、本発明を適用した情報配信システムの処理手順の一例を説明する概略図である。
駅や街の中心から四方に複数の情報表示端末が設置される。また、情報表示端末の設置場所よりもさらに駅や街の中心から離れた四方に大型表示装置が設置される。
また、情報配信サーバは、地域広告情報データベースに記録された地域広告情報を情報表示端末及び大型表示装置にインターネットを介して送信する。
【００２４】
郊外から、車等で駅や街へ来る利用者は、まず大型表示装置に表示された地域広告情報を目にする。そして、利用者は、駐車して街中を歩きながら、今度は情報表示端末に表示された地域広告情報を目にする。
情報配信サーバによって、大型表示装置と情報表示端末には同じ地域広告情報が送信されるので、大型表示装置に表示される地域広告情報は、情報表示端末に表示される地域広告情報と同じである。
【００２５】
このように２種類の表示媒体を通して同じ地域広告情報を見た利用者が、地域広告情報について興味を持って詳細な情報を得たい場合、地域ジャンル情報のジャンル毎に分けられた複数の領域からなる地域ジャンル情報転送手段のうち、地域広告情報が属するジャンル例えば「１００円ランチ」の領域に、非接触ＩＣ通信機能を備えた携帯電話機を近づける（ステップＳ１）。
【００２６】
そして、情報配信サーバは、携帯電話機と情報表示端末の「１００円ランチ」の領域との間隙が数センチメートル以下になると、地域ジャンル情報データベースの「１００円ランチ」の項目に記録された地域ジャンル情報を、このジャンルに属する地域広告情報と共に情報表示端末にインターネットを介して送信し、情報表示端末は、送信された地域ジャンル情報を、このジャンルに属する地域広告情報と共に情報表示端末との間隙が数センチメートル以下の携帯電話機へ非接触ＩＣ通信によって転送する（ステップＳ２）。
【００２７】
次に、利用者の携帯電話機は、大型表示装置や情報表示端末に表示された地域広告情報と同じであると共に転送された地域広告情報を再生する（ステップＳ３）。
また、情報配信サーバから情報表示端末へ送信された地域ジャンル情報は、送信された地域広告情報に関連するクーポン情報、送信された地域広告情報の広告主のＵＲＬ情報及びコンテンツ情報を含むので、このようなクーポン情報、広告主のＵＲＬ情報及びコンテンツ情報は携帯電話機へも転送され、利用者の携帯電話機の画面に地域ジャンル情報及びクーポン情報が表示される（ステップＳ４）。
そして、このようなクーポン情報が携帯電話機の画面に表示された後、広告主のＵＲＬ情報が携帯電話機の画面に表示されるが（ステップＳ５）、クーポン情報とＵＲＬ情報を同時に表示させてもよい。
【００２８】
ここで、利用者は、携帯電話機の画面に表示されたＵＲＬ情報を選択して広告主のホームページにアクセスすることができるが、広告主のホームページは、本発明の情報配信サーバ内に存在させてもよいし、他のサーバ内に存在させてもよい。
また、携帯電話機へ転送された地域広告情報や地域ジャンル情報を、パーソナルコンピュータ（ＰＣ）や他の携帯電話機へ電子メールで送信するために、例えばアドレス入力欄やメール送信ボタンが携帯電話機の画面に表示されていてもよい。
【００２９】
以上、説明したように、本発明は、利用者が携帯する携帯電話機と情報表示端末との間隙が数センチメートル以下の場合、地域ジャンル情報データベースに記録された地域ジャンル情報を、ジャンルに属する地域広告情報と共に情報表示端末へインターネットを介して送信するので、利用者は、各地域に設置された情報表示端末に携帯電話機を近づけるだけで、地域広告情報と共に地域ジャンル情報を自分の携帯電話機に取り込むことができ、また、利用者の携帯電話機は、大型表示装置や情報表示端末に表示された地域広告情報と同じであると共に転送された地域広告情報を再生するので、利用者の携帯電話機においても大型表示装置や情報表示端末に表示された地域広告情報を見ることができる。
従って、大型表示装置、情報表示端末、携帯電話機及びフリーペーパーという４種類の表示媒体を通して、広告情報を利用者に見せることができ、広告宣伝効果に優れている。
【００３０】
また、地域広告情報及び地域ジャンル情報は、情報表示端末が設置された場所を中心として所定の範囲例えば半径数キロメートル以内の領域についての情報であり、ジャンル毎に分けられた複数の領域からなる地域ジャンル情報転送手段のうち、地域広告情報が属するジャンルの領域に携帯電話機を近づけて情報を入手するので、地域選択やジャンル選択という画面上の操作やキーワード検索を省くことができる。
【００３１】
また、情報配信サーバから情報表示端末へ送信された地域ジャンル情報は、送信された地域広告情報に関連するクーポン情報及び送信された地域広告情報の広告主のＵＲＬ情報を含むので、このようなクーポン情報や広告主のＵＲＬ情報は携帯電話機へも転送されるため、クーポン情報によるキャンペーンで集客を図ることができる。
【図面の簡単な説明】
【００３２】
【図１】本発明を適用した情報配信システムの構成の一例を示す概略図である。
【図２】本発明を適用した情報配信システムの処理手順の一例を説明する概略図である。
【符号の説明】
【００３３】
１    情報配信システム
２    情報配信サーバ
３    情報表示端末
４    携帯電話機
５    地域広告情報データベース
６    地域ジャンル情報データベース
７    地域広告情報送信手段
８    地域ジャンル情報送信手段
９    地域広告情報表示手段
１０    地域ジャンル情報転送手段
１１    フリーペーパー
１２    地域広告情報再生手段
１３    大型表示装置
１４    インターネット
【図１】
2009251878.tif 000003
【図２】
2009251878.tif 000004